(57)【要約】【課題】  ユーザの意思に反してディスク排出禁止機能のオン／オフ設定が切り替わることを防止することが出来るディスク再生装置１を提供する。【解決手段】  本発明のディスク再生装置１は、ユーザにより入力されたディスク排出禁止機能設定入力の有効／無効、及びディスク排出禁止機能設定のオン／オフを記憶している。該ディスク再生装置１は、ユーザによりディスク排出禁止機能設定のオンが入力されたとき、及び／又はディスク排出禁止機能設定のオフが入力されたとき、ディスク排出禁止機能設定入力の有効を記憶している場合にディスク排出禁止機能設定のオン／オフを記憶する動作を実行する一方、無効を記憶している場合には該オン／オフ記憶動作を禁止する。そして、ユーザによりディスク排出操作が行なわれたとき、ディスク排出禁止機能設定のオンを記憶している場合に、ディスク排出禁止機能を動作させる。【選択図】      図２
2006065933.tif 000002
【特許請求の範囲】
【請求項１】
ディスクを再生位置から排出位置まで移動させる動作を禁止するディスク排出禁止機能を有するディスク再生装置において、
ユーザにより入力されたディスク排出禁止機能設定入力の有効／無効を記憶する有効／無効記憶手段と、
ユーザにより入力されたディスク排出禁止機能設定のオン／オフを記憶するオン／オフ記憶手段と、
ユーザによりディスク排出禁止機能設定のオンが入力されたとき、及び／又はディスク排出禁止機能設定のオフが入力されたとき、前記有効／無効記憶手段にディスク排出禁止機能設定入力の有効が記憶されている場合に前記オン／オフ記憶手段を動作させる一方、ディスク排出禁止機能設定入力の無効が記憶されている場合には前記オン／オフ記憶手段の動作を禁止する第１制御手段と、
ユーザによりディスク排出操作が行なわれたとき、前記オン／オフ記憶手段にディスク排出禁止機能設定のオンが記憶されている場合に、ディスク排出禁止機能を動作させる第２制御手段
とを具えていることを特徴とするディスク再生装置。
【請求項２】
ディスクから信号を再生するディスク再生機能を含む複数の機能を有すると共に、ディスクを再生位置から排出位置まで移動させる動作を禁止するディスク排出禁止機能を有するディスク再生装置において、
ディスクからの信号読出し動作を制御すると共にディスクから読み出された信号に対する信号処理を行なう第１制御回路と、
前記ディスク排出動作を制御する第２制御回路と、
前記第１制御回路をディスク再生機能が選択されている状態でのみ動作状態に維持する一方、前記第２制御回路をディスク再生機能が選択されている状態及びディスク再生機能以外の機能が選択されている状態で動作状態に維持する電力供給回路
とを具えており、前記第１制御回路は、
ユーザにより入力されたディスク排出禁止機能設定入力の有効／無効を前記第２制御回路に通知する通知手段
を具えている一方、前記第２制御回路は、
ユーザにより入力されたディスク排出禁止機能設定のオン／オフを記憶するオン／オフ記憶手段と、
ユーザによりディスク排出禁止機能設定のオンが入力されたとき、及び／又はディスク排出禁止機能設定のオフが入力されたとき、前記第１制御回路からディスク排出禁止機能設定入力の有効が通知された場合に前記オン／オフ記憶手段を動作させる一方、ディスク排出禁止機能設定入力の無効が通知された場合には前記オン／オフ記憶手段の動作を禁止する第１制御手段と、
ユーザによりディスク排出操作が行なわれたとき、前記オン／オフ記憶手段にディスク排出禁止機能設定のオンが記憶されている場合に、ディスク排出禁止機能を動作させる第２制御手段
とを具えていることを特徴とするディスク再生装置。
【請求項３】
前記第１制御回路は、ユーザによりディスク排出禁止機能設定入力の有効／無効設定開始操作が行なわれたとき、ディスク排出禁止機能設定入力の有効／無効設定画面を表示するための画像表示信号を出力する画像処理手段を具えている請求項２に記載のディスク再生装置。
【請求項４】
前記第１制御手段は、ディスク再生機能が選択されている場合に限って、前記オン／オフ記憶手段を動作させる請求項２又は請求項３に記載のディスク再生装置。
【発明の詳細な説明】
【技術分野】
【０００１】
本発明は、ディスクを再生位置から排出位置まで移動させる動作を禁止するディスク排出禁止機能を有するディスク再生装置に関するものである。
【背景技術】
【０００２】
ＤＶＤプレーヤやＣＤプレーヤ等のディスク再生装置においては、ディスクの装填／取出しを行なう際に操作すべきディスクトレイ開閉キーが配備されており、該キーを押下することにより、ディスクトレイが開かれてディスクの装填／取出しが可能となる。
ところで、ディスクの盗難を防止すべく装置本体に配備されたキーが所定時間以上に亘って押下された場合にのみディスクトレイを開くディスク再生装置が提案されている(特許文献１参照)。
又、ディスクトレイの開閉動作を禁止するディスクトレイロック機能を有するディスク再生装置が知られている(例えば、特許文献２参照)。該ディスク再生装置においては、ディスクトレイロック機能をオンに設定しておけば、ディスクトレイ開閉キーが押下されたとしてもディスクトレイは開かれないので、ディスクの盗難を防止することが出来る。
【０００３】
【特許文献１】実用新案登録第３０８５９４６号公報[G11B 19/16]
【特許文献２】特開平７−３７３２０号公報[G11B 19/04]
【発明の開示】
【発明が解決しようとする課題】
【０００４】
しかしながら、ディスクトレイロック機能を有する従来のディスク再生装置においては、ディスクトレイロック機能の設定をオン／オフするキー操作を行なうだけで該機能の設定をオン／オフすることが出来たので、ユーザが他の操作を行なうべく操作キーを触っているうちに、意思に反して前記キー操作が行なわれて該機能の設定が切り替わることがあった。
本発明の目的は、ユーザの意思に反してディスクトレイロック機能等のディスク排出禁止機能のオン／オフ設定が切り替わることを防止することが出来るディスク再生装置を提供することである。
【課題を解決するための手段】
【０００５】
本発明に係るディスク再生装置は、ディスクから信号を再生するディスク再生機能を含む複数の機能を有すると共に、ディスクを再生位置から排出位置まで移動させる動作を禁止するディスク排出禁止機能を有しており、
ディスクからの信号読出し動作を制御すると共にディスクから読み出された信号に対する信号処理を行なう第１制御回路と、
前記ディスク排出動作を制御する第２制御回路と、
前記第１制御回路をディスク再生機能が選択されている状態でのみ動作状態に維持する一方、前記第２制御回路をディスク再生機能が選択されている状態及びディスク再生機能以外の機能が選択されている状態で動作状態に維持する電力供給回路
とを具えている。そして、前記第１制御回路は、
ユーザにより入力されたディスク排出禁止機能設定入力の有効／無効を前記第２制御回路に通知する通知手段
を具えている一方、前記第２制御回路は、
ユーザにより入力されたディスク排出禁止機能設定のオン／オフを記憶するオン／オフ記憶手段と、
ユーザによりディスク排出禁止機能設定のオンが入力されたとき、及び／又はディスク排出禁止機能設定のオフが入力されたとき、前記第１制御回路からディスク排出禁止機能設定入力の有効が通知された場合に前記オン／オフ記憶手段を動作させる一方、ディスク排出禁止機能設定入力の無効が通知された場合には前記オン／オフ記憶手段の動作を禁止する第１制御手段と、
ユーザによりディスク排出操作が行なわれたとき、前記オン／オフ記憶手段にディスク排出禁止機能設定のオンが記憶されている場合に、ディスク排出禁止機能を動作させる第２制御手段
とを具えている。
【０００６】
上記本発明に係るディスク再生装置においては、ディスク排出禁止機能設定入力の無効を入力しておけば、ディスク排出禁止機能設定のオン／オフが入力されたとしても、オン／オフ記憶手段の動作が禁止されてディスク排出禁止機能設定のオン／オフは記憶されない。又、この状態で、ユーザの意思に反してディスク排出禁止機能設定入力の有効が入力された後、ディスク排出禁止機能設定のオンが入力される事態の可能性は低い。然も、ディスク再生機能以外の機能が選択されている状態では、第１制御回路は動作を停止しているのでディスク排出禁止機能設定入力の有効を入力することは出来ず、該入力を可能とするためにはディスク再生機能を選択しなければならないが、この状態で、ユーザの意思に反してディスク再生機能が選択された後、ディスク排出禁止機能設定入力の有効が入力され、更にディスク排除禁止機能設定のオン／オフが入力されるという事態の可能性は極めて低い。従って、ユーザの意思に反してディスク排除禁止機能のオン／オフ設定が切り替わることを防止することが出来る。
【０００７】
具体的には、前記第１制御回路は、ユーザによりディスク排出禁止機能設定入力の有効／無効設定開始操作が行なわれたとき、ディスク排出禁止機能設定入力の有効／無効設定画面を表示するための画像表示信号を出力する画像処理手段を具えている。
該具体的構成においては、第１制御回路の出力端に、例えばモニタ装置が接続され、該モニタ装置にディスク排出禁止機能設定入力の有効／無効設定画面が表示されるので、ユーザは該画面を見ながら容易にディスク排出禁止機能設定入力の有効／無効設定を行なうことが出来る。
【０００８】
又、具体的には、前記第１制御手段は、ディスク再生機能が選択されている場合に限って、前記オン／オフ記憶手段を動作させる。
【０００９】
該具体的構成においては、ディスク排出禁止機能設定入力の有効が入力されている場合であっても、ディスク再生機能以外の機能が選択されている状態では、ディスク排出禁止機能設定のオン／オフが入力されたとしても、オン／オフ記憶手段の動作は実行されず、ディスク排出禁止機能設定のオン／オフは記憶されない。又、この状態で、ユーザの意思に反してディスク再生機能が選択された後、ディスク排出禁止機能設定のオン／オフが入力されるという事態の可能性は低い。
【発明の効果】
【００１０】
本発明に係るディスク再生装置によれば、ユーザの意思に反してディスク排出禁止機能のオン／オフ設定が切り替わることを防止することが出来る。
【発明を実施するための最良の形態】
【００１１】
以下、本発明を、ＤＶＤから信号を再生するＤＶＤ再生機能及びラジオ放送信号を受信するラジオ放送受信機能を有するディスク再生装置に実施した形態につき、図面に沿って具体的に説明する。
図１に示す如く、本発明に係るディスク再生装置(１)は、直方体の筐体(10)を具え、該筐体(10)には、矢印で示す如く開閉可能なディスクトレイ(100)が配備されており、ディスクトレイ(100)を開いた状態で該ディスクトレイ(100)にＤＶＤ(４)を載置した後、該ディスクトレイ(100)を閉じることによってＤＶＤ(４)を所定の再生位置にセットすることが出来る。
【００１２】
又、筐体(10)の前面には、例えばＶＦＤ(Vacuum  Fluorescent  Display)からなる表示装置(11)と、複数の操作キーからなるキー入力装置(12)とが配備されている。複数の操作キーには、前記ディスクトレイ(100)の開閉を行なう際に操作すべきディスクトレイ開閉キー(120)が含まれている。
【００１３】
図２は、上記ディスク再生装置(１)の電気的構成を表わしており、ＤＶＤドライブ装置(13)、チューナ回路(14)、ＤＶＤからの信号読出し動作を制御すると共にＤＶＤから読み出された信号に対する信号処理を行なうディスク再生制御回路(15)、前記チューナ回路(14)及び前記ディスク再生制御回路(15)から得られる音声信号に対する信号処理を行なう音声信号処理回路(16)、及びアンプ回路(17)が装備されている。
又、前記チューナ回路(14)及び前記音声信号処理回路(16)に対する制御動作を含む装置全体の制御動作を行なうシステム制御マイコン(18)が装備されており、該マイコン(18)には、上記の表示装置(11)及びキー入力装置(12)が接続されている。
【００１４】
前記ＤＶＤドライブ装置(13)は、上記ディスクトレイを開閉するディスクローディング装置(130)を具えている。
又、前記ディスク再生制御回路(15)は、ＤＶＤドライブ装置(13)から読み出された信号に対するＭＰＥＧデコード処理及びオンスクリーン表示のための映像処理を行なうＭＰＥＧデコーダ回路(151)と、前記システム制御マイコン(18)との間で通信を行ないつつＤＶＤドライブ装置(13)の信号読出し動作及びＭＰＥＧデコーダ回路(151)の動作を制御するＭＰＥＧ制御マイコン(152)とを具えている。
【００１５】
更に、商用電源(図示省略)からの電力をシステム制御マイコン(18)及びディスク再生制御回路(15)に供給する電源回路(19)が装備されており、システム制御マイコン(18)には、該電源回路(19)から常に電力が供給される。ディスク再生制御回路(15)に対する電力供給動作は、システム制御マイコン(18)によって制御されており、電源回路(19)は、ＤＶＤファンクションが選択されている状態では、ディスク再生制御回路(15)に対する電力供給動作を実行する一方、ラジオ放送受信ファンクションが選択されている状態では、該電力供給動作を停止する。従って、ラジオ放送番組の聴取時に、ディスク再生制御回路(15)の発振子(図示省略)から高周波のクロック信号が発生することはなく、放送信号の受信感度が低下することはない。
【００１６】
上記ディスク再生装置(１)においては、ユーザがキー入力装置(12)に対してＤＶＤファンクションを選択する操作を行なうと、システム制御マイコン(18)から電源回路(19)に電力供給開始指令が発せられて、電源回路(19)からディスク再生制御回路(15)に対する電力の供給が開始される。この状態で、ユーザがキー入力装置(12)に対してＤＶＤからの信号再生を開始するための再生操作を行なうと、システム制御マイコン(18)からＭＰＥＧ制御マイコン(152)に再生要求コマンドが送信されて、該マイコン(152)からＤＶＤドライブ装置(13)に信号読出し開始指令が発せられる。この結果、ＤＶＤから信号が読み出され、読み出された信号は、ＭＰＥＧデコーダ回路(151)にてデコード処理が施されて、映像信号と音声信号とが分離される。映像信号は、モニタ装置(２)に供給される一方、音声信号は、音声信号処理回路(16)に供給されてサラウンド処理や減衰処理等の音声処理が施された後、アンプ回路(17)にて増幅され、スピーカ(３)に供給される。
又、ＭＰＥＧ制御マイコン(152)からシステム制御マイコン(18)に、信号再生状態を表わす状態情報や信号再生に関する時間情報等が供給されて、それらの情報が表示装置(11)に表示される。
【００１７】
これに対し、ユーザがキー入力装置(12)に対してラジオ放送受信ファンクションを選択する操作を行なうと、システム制御マイコン(18)から電源回路(19)に電力供給停止指令が発せられて、電源回路(19)からディスク再生制御回路(15)に対する電力の供給が停止される。この状態で、ユーザがキー入力装置(12)に対して選局操作を行なうと、システム制御マイコン(18)からチューナ回路(14)に選局指令が発せられ、チューナ回路(14)により該指令に応じた選局動作が実行される。チューナ回路(14)から得られる音声信号は、音声信号処理回路(16)に供給されてサラウンド処理や減衰処理等の音声処理が施された後、アンプ回路(17)にて増幅され、スピーカ(３)に供給される。
【００１８】
上記ディスク再生装置(１)は、ディスクローディング装置(130)のディスクトレイ開閉動作を禁止するディスクトレイロック機能を有しており、ディスクトレイロック機能をオンに設定しておけば、ディスクトレイ開閉キー(120)が押下されたとしてもディスクトレイの開閉は行なわれず、ディスクの盗難を防止することが出来る。そして、上記ディスク再生装置(１)は、特徴的構成において、ディスクトレイロック機能設定入力の有効／無効を設定することが可能であって、ディスクトレイロック機能設定入力を無効に設定しておけば、ディスクトレイロック機能をオンに設定するためのトレイロック設定オン操作が行なわれたとしてもディスクトレイロック機能はオンに設定されず、ユーザの意思に反してディスクトレイロック機能がオンとなることを防止することが出来る。
【００１９】
図３は、ディスクトレイロック機能設定入力の有効／無効設定時に上記システム制御マイコン(18)によって実行される手続きを表わしており、先ずステップＳ１では、ユーザによりディスクトレイロック機能設定入力の有効／無効設定開始操作が行なわれたか否かを判断し、ノーと判断された場合はステップＳ１にて同じ判断を繰り返す。
ユーザにより有効／無効設定開始操作が行なわれると、ステップＳ２に移行して、ＤＶＤファンクションが選択されているか否かを判断する。ここで、ラジオ放送受信ファンクションが選択されている場合には、ＭＰＥＧ制御マイコン(152)は動作を停止しているので、ステップＳ１に戻って、ユーザによる有効／無効設定開始操作に待機する。
これに対し、ＤＶＤファンクションが選択されている場合には、ステップＳ３に移行して、ＭＰＥＧ制御マイコン(152)にディスクトレイロック機能設定入力の有効／無効設定の要求があった旨の設定コマンドを送信する。その後、ユーザが図８に示す有効／無効設定画面を見ながらディスクトレイロック機能設定入力の有効／無効を選択すべくキー入力装置(12)に対し入力操作を行なうと、ステップＳ４では、入力された情報をＭＰＥＧ制御マイコン(152)に送信する。
【００２０】
続いてステップＳ５では、ＭＰＥＧ制御マイコン(152)からディスクトレイロック機能設定入力の有効／無効設定情報を受信し、次にステップＳ６では、受信した設定情報がディスクトレイロック機能設定入力の無効を表わすか否かを判断し、ノーと判断された場合はステップＳ１に戻って、ユーザによる有効／無効設定開始操作に待機する。
受信した設定情報がディスクトレイロック機能設定入力の無効を表わしている場合には、ステップＳ７に移行して、ディスクトレイロック機能がオンに設定されているか否かを判断し、ノーと判断された場合はステップＳ１に戻ってユーザによる有効／無効設定開始操作に待機する一方、イエスと判断された場合には、ステップＳ８にてディスクトレイロックをオフに設定した後、ステップＳ１に戻ってユーザによる有効／無効設定開始操作に待機する。
【００２１】
図４は、ディスクトレイロック機能設定入力の有効／無効設定時に上記ＭＰＥＧ制御マイコン(152)によって実行される手続きを表わしており、先ずステップＳ１１では、上述の如くシステム制御マイコン(18)から送信される設定コマンドを受信したか否かを判断し、ノーと判断された場合にはステップＳ１１にて同じ判断を繰り返す。
システム制御マイコン(18)から設定コマンドを受信してステップＳ１１にてイエスと判断された場合には、ステップＳ１２に移行して、図８に示す有効／無効設定画面をモニタ装置(２)に表示する。その後、ステップＳ１３では、上述の如くシステム制御マイコン(18)から送信されたキー入力情報を受信し、続いてステップＳ１４では、受信したキー入力情報に基づきディスクトレイロック機能設定入力の有効或いは無効の何れが選択されたのかを判断して、ディスクトレイロック機能設定入力の有効／無効設定情報をシステム制御マイコン(18)に送信する。最後にステップＳ１５にて、ディスクトレイロック機能設定入力の有効／無効を記憶した後、ステップＳ１１に戻って設定コマンドの受信に待機する。
【００２２】
図３及び図４に示す手続きによれば、ユーザによりディスクトレイロック機能設定入力の有効／無効設定開始操作が行なわれたとき、その時点でＤＶＤファンクションが選択されている場合には、システム制御マイコン(18)からＭＰＥＧ制御マイコン(152)に設定コマンドが送信されて、図８に示す有効／無効設定画面がモニタ装置(２)に表示される。この状態で、キー入力装置(12)に対する操作により有効／無効が選択されると、システム制御マイコン(18)からＭＰＥＧ制御マイコン(152)にキー入力情報が送信されて、ＭＰＥＧ制御マイコン(152)によりディスクトレイロック機能設定入力の有効／無効が記憶される。そして、ＭＰＥＧ制御マイコン(152)からシステム制御マイコン(18)にディスクトレイロック機能設定入力の有効／無効設定情報が送信され、該設定情報が無効を表わしており、且つディスクトレイロック機能がオンに設定されている場合には、システム制御マイコン(18)によりディスクトレイロック機能設定のオフが記憶されて該機能設定がオフに切り換えられる。
【００２３】
図５は、ディスクトレイロック機能のオン設定時にシステム制御マイコン(18)によって実行される手続きを表わしており、先ずステップＳ２１にて、ユーザによりトレイロック設定オン操作が行なわれたか否かを判断し、ノーと判断された場合はステップＳ２１にて同じ判断を繰り返す。
ユーザによりトレイロック設定オン操作が行なわれると、ステップＳ２２に移行して、ＤＶＤファンクションが選択されているか否かを判断し、ノーと判断された場合はステップＳ２１に戻って、ユーザによるトレイロック設定オン操作に待機する一方、イエスと判断された場合にはステップＳ２３に移行して、ＭＰＥＧ制御マイコン(152)から有効／無効設定情報を取得して該情報に基づきディスクトレイロック機能設定入力が有効であるか否かを判断する。ここでノーと判断された場合はステップＳ２１に戻って、ユーザによるトレイロック設定オフ操作に待機する。
ディスクトレイロック機能設定入力が有効である場合には、ステップＳ２４に移行して、ディスクトレイロック機能の設定がオフであるか否かを判断し、ノーと判断された場合はステップＳ２１に戻って、ユーザによるトレイロック設定オン操作に待機する。
【００２４】
ディスクトレイロック機能の設定がオフである場合には、ステップＳ２５に移行して、ディスクトレイロック機能設定のオンを記憶し、最後にステップＳ２６にてディスクトレイロック機能の設定をオンとした旨を表示装置(11)に表示した後、ステップＳ２１に戻って、ユーザによるトレイロック設定オン操作に待機する。
上記手続きによれば、ユーザによりトレイロック設定オン操作が行なわれたとき、ＤＶＤファンクションが選択されており、且つディスクトレイロック機能の設定入力が有効である場合に限って、ディスクトレイロック機能の設定がオフからオンに切り換えられることになる。
【００２５】
図６は、ディスクトレイロック機能のオフ設定時にシステム制御マイコン(18)によって実行される手続きを表わしており、先ずステップＳ３１にて、ユーザによりトレイロック設定オフ操作が行なわれたか否かを判断し、ノーと判断された場合はステップＳ３１にて同じ判断を繰り返す。
ユーザによりトレイロック設定オフ操作が行なわれると、ステップＳ３２に移行して、ＤＶＤファンクションが選択されているか否かを判断し、ノーと判断された場合はステップＳ３１に戻って、ユーザによるトレイロック設定オフ操作に待機する一方、イエスと判断された場合にはステップＳ３３に移行して、ディスクトレイロック機能の設定がオンであるか否かを判断する。ここでノーと判断された場合は、ステップＳ３１に戻って、ユーザによるトレイロック設定オフ操作に待機する。
ディスクトレイロック機能の設定がオンである場合には、ステップＳ３４に移行して、ディスクトレイロック機能設定のオフを記憶し、最後にステップＳ３５にてディスクトレイロック機能の設定をオフにした旨を表示装置(11)に表示した後、ステップＳ３１に戻って、ユーザによるトレイロック設定オフ操作に待機する。
上記手続きによれば、ユーザによりトレイロック設定オフ操作が行なわれたとき、ＤＶＤファンクションが選択されている場合に限って、ディスクトレイロック機能の設定がオンからオフに切り換えられることになる。
【００２６】
図７は、ディスクトレイのオープン時にシステム制御マイコン(18)によって実行される手続きを表わしており、先ずステップＳ４１にて、ユーザによりディスクトレイ開閉キー(120)が押下されたか否かを判断し、ノーと判断された場合はステップＳ４１にて同じ判断を繰り返す。
ディスクトレイが閉じられている状態でユーザによりディスクトレイ開閉キー(120)が押下されると、ステップＳ４２に移行して、ディスクトレイロック機能がオフに設定されているか否かを判断し、イエスと判断された場合には、ステップＳ４３にてディスクトレイをオープンした後、ステップＳ４４にてディスクトレイがオープンされた旨を表示装置(11)に表示して、ステップＳ４１に戻る。
これに対し、ディスクトレイロック機能がオンに設定されている場合には、ステップＳ４５にてディスクトレイロックがオンに設定されている旨を表示装置(11)に表示して、ステップＳ４１に戻る。
上記手続きによれば、ディスクトレイロック機能がオンに設定されている場合には、ディスクトレイ開閉キー(120)が押下されたとしてもディスクトレイは開かれず、ディスクトレイロック機能がオフに設定されている場合に限ってディスクトレイが開かれることになる。
【００２７】
本発明に係るディスク再生装置においては、図５に示す如く、ディスクトレイロック機能設定入力を無効に設定しておけば、トレイロック設定オン操作が行なわれたとしてもディスクトレイロック機能はオンに設定されない。又、この状態で、ユーザの意思に反してディスクトレイロック機能設定入力の有効が入力された後、ディスクトレイロック機能設定のオンが入力される事態の可能性は低い。然も、図３に示す如く、ディスクトレイロック機能設定入力の有効を入力するためにはＤＶＤファンクションが選択されている状態でなければならないが、ラジオ放送受信機能が選択されている状態で、ユーザの意思に反してディスク再生機能が選択された後、ディスクトレイロック機能設定入力の有効が入力され、更にディスクトレイロック機能設定のオンが入力されるという事態の可能性は極めて低い。
又、図５に示す如く、ディスクトレイロック機能設定入力が有効に設定されている場合であっても、ラジオ放送受信機能が選択されている状態では、トレイロック設定オン操作が行なわれたとしてもディスクトレイロック機能はオンに設定されない。又、この状態で、ユーザの意思に反してＤＶＤファンクションが選択された後、ディスクトレイロック機能設定のオンが入力されるという事態の可能性は低い。
従って、ユーザの意思に反してディスクトレイロック機能の設定がオフからオンに切り替わることを防止することが出来る。
【００２８】
尚、本発明の各部構成は上記実施の形態に限らず、特許請求の範囲に記載の技術的範囲内で種々の変形が可能である。
例えば、上記実施の形態においては、ＭＰＥＧ制御マイコン(152)がディスクトレイロック機能設定入力の有効／無効を記憶しており、トレイロック設定オン操作が行なわれたときにシステム制御マイコン(18)がＭＰＥＧ制御マイコン(152)からディスクトレイロック機能設定入力の有効／無効設定情報を取得する構成を採用しているが、ディスクトレイロック機能設定入力の有効／無効設定操作が行なわれたときにシステム制御マイコン(18)がＭＰＥＧ制御マイコン(152)から有効／無効設定情報を取得して有効／無効を記憶する構成を採用することも可能である。
又、上記実施の形態においては、本発明を、システム制御マイコン(18)とＭＰＥＧ制御マイコン(152)の２つのマイコンを具えたディスク再生装置に実施しているが、１つのマイコンを具えたディスク再生装置に実施することも可能である。該ディスク再生装置においては、１つのマイコンによって、ディスクトレイロック機能設定入力の有効／無効、及びディスクトレイロック機能設定のオン／オフが記憶される。
又、トレイロック設定オフ操作が行なわれたときに、ディスクトレイロック機能設定入力が有効に設定されている場合に限って、ディスクトレイロック機能設定をオンからオフに切り換える構成を採用することも可能である。
更に、本発明は、ＤＶＤがディスク挿入口に挿入されると該ＤＶＤを筐体内に収容して再生位置にセットする一方、ディスク排出操作に応じて筐体内のＤＶＤをディスク挿入口から排出するディスク再生装置に実施することも可能である。
更に又、本発明は、ＤＶＤに限らず、ＣＤ等の周知のディスクから信号を再生する機能を有するディスク再生装置に実施することも可能である。
【図面の簡単な説明】
【００２９】
【図１】本発明に係るディスク再生装置の外観を表わす斜視図である。
【図２】上記ディスク再生装置の電気的構成を表わすブロック図である。
【図３】ディスクトレイロック機能設定入力の有効／無効設定時にシステム制御マイコンによって実行される手続きを表わすフローチャートである。
【図４】ディスクトレイロック機能設定入力の有効／無効設定時にＭＰＥＧ制御マイコンによって実行される手続きを表わすフローチャートである。
【図５】ディスクトレイロック機能のオン設定時にシステム制御マイコンによって実行される手続きを表わすフローチャートである。
【図６】ディスクトレイロック機能のオフ設定時にシステム制御マイコンによって実行される手続きを表わすフローチャートである。
【図７】ディスクトレイのオープン時にシステム制御マイコンによって実行される手続きを表わすフローチャートである。
【図８】ディスクトレイロック機能設定入力の有効／無効設定時にモニタ装置に表示される画面例を表わす図である。
【符号の説明】
【００３０】
(１)   ディスク再生装置
(11)   表示装置
(12)   キー入力装置
(120)  ディスクトレイ開閉キー
(13)   ＤＶＤドライブ装置
(130)  ディスクローディング装置
(14)   チューナ回路
(15)   ディスク再生制御回路
(151)  ＭＰＥＧデコーダ回路
(152)  ＭＰＥＧ制御マイコン
(16)   音声信号処理回路
(17)   アンプ回路
(18)   システム制御マイコン
(19)   電源回路
【図１】
2006065933.tif 000003
【図２】
2006065933.tif 000004
【図３】
2006065933.tif 000005
【図４】
2006065933.tif 000006
【図５】
2006065933.tif 000007
【図６】
2006065933.tif 000008
【図７】
2006065933.tif 000009
【図８】
2006065933.tif 000010